(57)【要約】【課題】２つの人工衛星から送信され，同一のパラボラ反射鏡にて反射・収束された電波を良好に受信する。【解決手段】一対のホーンと各ホーンに連通している導波管とを近接させて一体的に形成した一次放射器と，各ホーンの軸線と同一軸線を有する円形導波管と当該円形導波管に対して，水平偏波信号用の分岐導波管と垂直偏波信号用の分岐導波管とが，相互に同方向を向いて並ぶ状態で上記円形導波管の軸線と直交する方向に連結してある一対の水平・垂直偏波分波器と，当該上記水平・垂直偏波分波器に接続されるコンバーターとからなり，一方の水平・垂直偏波分波器における水平偏波信号用及び垂直偏波信号用の分岐導波管の軸線と，他方の水平・垂直偏波分波器における水平偏波信号用及び垂直偏波信号用の分岐導波管の軸線が，上記ホーン間の中心点から，ホーンの配列方向に対して直交する方向線に対して，左右に夫々任意の角度をもたせる。【選択図】  図１
2004343161.tif 000002
【特許請求の範囲】
【請求項１】
２つの人工衛星から送信され，同一のパラボラ反射鏡にて反射・収束された電波を夫々受け入れる一対のホーンと，当該各ホーンに連通し，端部に次段機器接続用のフランジを備えた導波管とを一体的に形成した一次放射器と，
当該一次放射器の各導波管には，水平・垂直偏波分波器を介してコンバーターを備えたアンテナ給電部において，
上記ホーンと導波管とは夫々同一軸線上に形成されると共に，当該軸線が平行となるように左右に近接して対称的に配置され，
当該アンテナ給電部における水平・垂直偏波分波器と導波管の連結部と，ホーンの先端部に至る一次放射器の任意部位であって，上記ホーンの夫々の軸線に平行で且つ当該軸線間の中心を通る一次放射器の軸線から一定距離の周方向に，一次放射器と一体的に形成された偏波角調整部を一部または全周に備えさせ，
上記水平・垂直偏波分波器は，上記各ホーンと同一中心軸線上に配置された，上記電波の受入口を一端に備えた円形導波管と，当該円形導波管に対して，夫々コンバーター接続用で且つ夫々断面形状が長方形の，水平偏波信号用の分岐導波管と垂直偏波信号用の分岐導波管とが，相互に同方向を向いて並ぶ状態で上記円形導波管の軸線と直交する方向に連結してあり，
一方の水平・垂直偏波分波器における水平偏波信号用及び垂直偏波信号用の分岐導波管の軸線と，他方の水平・垂直偏波分波器における水平偏波信号用及び垂直偏波信号用の分岐導波管の軸線が，上記ホーン間の中心点から，ホーンの配列方向に対して直交する方向線に対して，左右に夫々任意の角度をもつように配置されるように構成したことを特徴としたアンテナ給電部。
【請求項２】
上記偏波角調整部は，上記アンテナ給電部における水平・垂直偏波分波器と導波管の連結部と，ホーンの先端部に至る一次放射器の任意部位であって，上記ホーンの夫々の軸線に平行で且つ当該軸線間の中心を通る一次放射器の軸線から一定距離の周方向に，一次放射器と一体的に形成された嵌合溝を一部または全周に備えさせ，当該一次放射器を支持するアームの先端に取付部を有する支持体を設け，当該支持体でもって，上記一次放射器を回動自在に支持し，所望の回転角度で上記アンテナ給電部を上記アームに対して固定することを特徴とした請求項１に記載のアンテナ給電部。
【請求項３】
上記偏波角調整部は，上記アンテナ給電部における水平・垂直偏波分波器と導波管の連結部と，ホーンの先端部に至る一次放射器の任意部位であって，上記ホーンの夫々の軸線に平行で且つ当該軸線間の中心を通る一次放射器の軸線から一定距離の周方向に，円形または多角形状面に取付ネジ孔を設け，当該一次放射器を支持するアームの先端に取付部を有する支持体を設け，当該支持体の前記取付ネジ孔に対応した部位に，前記一次放射器の軸線と同心である円弧状スリットを貫設することによって，その取付部に上記一次放射器を遊嵌し，上記取付ネジ孔に上記円弧状スリットに挿通したボルトを螺合させ，上記一次放射器を回動自在に支持し，所望の回転角度で上記アンテナ給電部を上記アームに対して固定することを特徴とした請求項１に記載のアンテナ給電部。
【請求項４】
上記アームの先端に設けた取付部及び上記一次放射器に，目盛り及び指針を表示したことを特徴とした請求項２乃至請求項３の何れかに記載のアンテナ給電部。
【請求項５】
上記水平・垂直偏波分波器は上記コンバーターと一体的に形成したことを特徴とした請求項１乃至請求項４の何れかに記載のアンテナ給電部。
【請求項６】
上記各ホーンの軸線の間隔は略３８ｍｍであり，
一方の水平・垂直偏波分波器における水平偏波信号用及び垂直偏波信号用の分岐導波管の軸線と，他方の水平・垂直偏波分波器における水平偏波信号用及び垂直偏波信号用の分岐導波管の軸線が，上記ホーン間の中心点から，ホーンの配列方向に対して直交する方向線に対して，左右に夫々略２．６°の角度をもつように配置されるように構成したことを特徴とした請求項１乃至請求項５の何れかに記載のアンテナ給電部。
【請求項７】
上記水平・垂直偏波分波器の円形導波管の一端に備えた受入口の周縁には，透孔を備えた取付部が３つ形成されており，その第１の取付部の配置は，上記円形導波管の軸線を中心として，更には，上記受入口方向から見て，上記取付部に備えた透孔の中心と，上記水平・垂直偏波分波器における水平偏波信号用及び垂直偏波信号用の分岐導波管の軸線とのなす角度が，円形導波管の上方から右回りに分岐導波管方向に略１３°傾いた位置にあり，第２，第３の取付部は，上記第１の取付部に対して，上記円形導波管の周方向に略１２０°毎になるように配置され，水平・垂直偏波分波器と導波管とは，上記連結部において連結されたことを特徴とした請求項１乃至請求項６の何れかに記載のアンテナ給電部。
【発明の詳細な説明】
【０００１】
【発明の属する技術分野】
本発明は，近接した２つの人工衛星からの送信電波を同一のパラボラ反射鏡を用いて受信するのに好適な２衛星受信用のアンテナ給電部に関する。
【０００２】
【従来の技術】
従来，一台のパラボラアンテナ反射鏡面に，複数の一次放射器を設けたマルチビームアンテナで使用するアンテナ給電部に用いられていた一次放射器は，一列に接近させた複数のホーン部が結合された本体部と，前記各ホーン部に夫々連通している複数の導波管部と，これら導波管部の端部に形成された周波数変換部（コンバーター）との結合用フランジを有し，前記各導波管部のうち両外側に位置するものが，外方に折り曲げられて構成したものが知られている。（例えば，参考文献参照）
【０００３】
【特許文献】
特開平１１―４１０２８号公報
【０００４】
【発明が解決しようとする課題】
しかし，従来のアンテナ給電部に用いられる一次放射器のように，複数の導波管の両外側に位置するものを，外方に折り曲げて設けていることから，上記導波管に接続されるコンバーターは外形寸法が多少大きくとも，互いに接することなく取付けられた。ところが，導波管を折り曲げて設けることで，コンバーターを接続したときに，このアンテナ給電部の外形寸法が大きくなると言った問題があった。更に，導波管を折り曲げて加工するためには，複雑な金型が必用となると共に，アルミ材等を用いて成形するための工程も増えて，コストアップとなる問題があった。
また，上記一次放射器を，上記各ホーンと導波管の軸線と軸線が結ぶ面に対して，上下方向に分割して形成する方法も考えられるが，この方法によれば，上下を組み付けるときに，防水対策を必用とすると共に，上下の接触面を密着させないと，高周波特性が悪くなると言った問題があった。
そこで本発明においては，上記従来の技術の問題点を解決するためになされたものであり，
その目的は，近接した２つの人工衛星からの送信電波を同一のパラボラ反射鏡を用いて受信するのに好適な２衛星受信用のアンテナ給電部を提供することにある。
他の目的は，成形の簡単な一次放射器を用いたアンテナ給電部を提供することのある。
他の目的は，２つの人工衛星から送信され，同一のパラボラ反射鏡にて反射・収束された電波を夫々受け入れる一対のホーンと，当該各ホーンに連通し，端部に次段機器接続用のフランジを備えた導波管とを一体的に形成し，上記各ホーンと導波管とは同一の軸線上に形成し，各軸線が平行に配置されたことを特徴とした一次放射器を用いたアンテナ給電部を提供することにある。
他の目的は，上記一次放射器の周方向に嵌合溝を一部又は全周に備えさせ，アンテナのアームの先端に嵌合部を備えた支持体に対して，上記嵌合溝を嵌合部に嵌合した状態で一次放射器を回動自在に支持し，所望の回転角度にてアームに固定可能とした一次放射器を用いたアンテナ給電部を提供することにある。
他の目的は，同じ金型で形成した水平・垂直偏波分波器を，相互に近接させて一次放射器に取付可能としたアンテナ給電部を提供することにある。
【０００５】
【課題を解決するための手段】
上記課題を解決するために，請求項１の発明は，２つの人工衛星から送信され，同一のパラボラ反射鏡にて反射・収束された電波を夫々受け入れる一対のホーンと，当該各ホーンに連通し，端部に次段機器接続用のフランジを備えた導波管とを一体的に形成した一次放射器と，当該一次放射器の各導波管には，水平・垂直偏波分波器を介してコンバーターを備えたアンテナ給電部において，上記ホーンと導波管とは夫々同一軸線上に形成されると共に，当該軸線が平行となるように左右に近接して対称的に配置され，当該アンテナ給電部における水平・垂直偏波分波器と導波管の連結部と，ホーンの先端部に至る一次放射器の任意部位であって，上記ホーンの夫々の軸線に平行で且つ当該軸線間の中心を通る一次放射器の軸線から一定距離の周方向に，一次放射器と一体的に形成された嵌合溝を一部または全周に備えさせ，上記水平・垂直偏波分波器は，上記各ホーンと同一中心軸線上に配置された，上記電波の受入口を一端に備えた円形導波管と，当該円形導波管に対して，夫々コンバーター接続用で且つ夫々断面形状が長方形の，水平偏波信号用の分岐導波管と垂直偏波信号用の分岐導波管とが，相互に同方向を向いて並ぶ状態で上記円形導波管の軸線と直交する方向に連結してあり，一方の水平・垂直偏波分波器における水平偏波信号用及び垂直偏波信号用の分岐導波管の軸線と，他方の水平・垂直偏波分波器における水平偏波信号用及び垂直偏波信号用の分岐導波管の軸線が，上記ホーン間の中心点から，ホーンの配列方向に対して直交する方向線に対して，左右に夫々任意の角度をもつように配置されるように構成した。
【０００６】
請求項２の発明は，請求項１の発明において，上記偏波角調整部は，上記アンテナ給電部における水平・垂直偏波分波器と導波管の連結部と，ホーンの先端部に至る一次放射器の任意部位であって，上記ホーンの夫々の軸線に平行で且つ当該軸線間の中心を通る一次放射器の軸線から一定距離の周方向に，一次放射器と一体的に形成された嵌合溝を一部または全周に備えさせ，当該一次放射器を支持するアームの先端に取付部を有する支持体を設け，当該支持体でもって，上記一次放射器を回動自在に支持し，所望の回転角度で上記アンテナ給電部を上記アームに対して固定するように構成する。
【０００７】
請求項３の発明は，請求項１の発明において，上記偏波角調整部は，上記アンテナ給電部における水平・垂直偏波分波器と導波管の連結部と，ホーンの先端部に至る一次放射器の任意部位であって，上記ホーンの夫々の軸線に平行で且つ当該軸線間の中心を通る一次放射器の軸線から一定距離の周方向に，円形または多角形状面に取付ネジ孔を設け，当該一次放射器を支持するアームの先端に取付部を有する支持体を設け，当該支持体の前記取付ネジ孔に対応した部位に，前記一次放射器の軸線と同心である円弧状スリットを貫設することによって，その取付部に上記一次放射器を遊嵌し，上記取付ネジ孔に上記円弧状スリットに挿通したボルトを螺合させ，上記一次放射器を回動自在に支持し，所望の回転角度で上記アンテナ給電部を上記アームに対して固定するように構成する。
【０００８】
請求項４の発明は，請求項１乃至請求項３の何れかの発明において，上記水平・垂直偏波分波器は上記コンバーターと一体的に形成した
【０００９】
請求項５の発明は，請求項１乃至請求項４の何れかの発明において，上記各ホーンの軸線の間隔は略３８ｍｍであり，一方の水平・垂直偏波分波器における水平偏波信号用及び垂直偏波信号用の分岐導波管の軸線と，他方の水平・垂直偏波分波器における水平偏波信号用及び垂直偏波信号用の分岐導波管の軸線が，上記ホーン間の中心点から，ホーンの配列方向に対して直交する方向線に対して，左右に夫々略２．６°の角度をもつように配置されるように構成される。
【００１０】
請求項６の発明は，請求項１乃至請求項５の何れかの発明において，上記水平・垂直偏波分波器の円形導波管の一端に備えた受入口の周縁には，透孔を備えた取付部が３つ形成されており，その第１の取付部の配置は，上記円形導波管の軸線を中心として，更には，上記受入口方向から見て，上記取付部に備えた透孔の中心と，上記水平・垂直偏波分波器における水平偏波信号用及び垂直偏波信号用の分岐導波管の軸線とのなす角度が，円形導波管の上方から右回りに分岐導波管方向に略１３°傾いた位置にあり，第２，第３の取付部は，上記第１の取付部に対して，上記円形導波管の周方向に略１２０°毎になるように配置され，水平・垂直偏波分波器と導波管とは，上記連結部において連結するように構成される。
【００１１】
【発明の実施の形態】
以下に，本発明を具体化した実施形態の１例を，図面を基に詳細に説明する。図１は本発明のアンテナ給電部の上面図を示す。図２は本発明のアンテナ給電部の側面図を示す。図３は本発明のアンテナ給電部を後方から見た図面である。図４は図２のＡ−Ａ線（水平・垂直偏波分波器のフランジ面）における断面図である。図５は図２のＢ−Ｂ線（一次放射器のフランジ面）における断面図である）。図６は本願のアンテナ給電部を用いたアンテナを用いた受信システムの実施例を示す。
【００１２】
１は本願のアンテナ給電部を示す。このアンテナ給電部１は，２つの人工衛星から送信され，同一のパラボラ反射鏡にて反射・収束された電波を夫々受け入れる一対のホーン２ａ，２ｂと，当該各ホーン２ａ，２ｂに連通し，端部に次段機器接続用のフランジ部６を備えた導波管部４とを一体的に形成した一次放射器７を形成している。３は上記ホーンの開口面側に取付けられる樹脂製材料で形成されたキャップである。５は上記一次放射器と一体的に形成され，当該一次放射器の周方向に設けられた嵌合溝である。ホーン２ａと２ｂとの間隔の中心は，この一次放射器の中心でもあり，さらに上記嵌合溝５はこのホーン２ａと２ｂとの間隔の中心を中心点として，上記フランジ部６からホーン２ａ，２ｂの先端部にいたる任意部位に成形されている。この一次放射器は本発明においてはアルミ材を用いて金型成形している。
【００１３】
１０ａ，１０ｂは水平・垂直偏波分波器であり，一次放射器７に対応させて一対用意されている。ここでは水平・垂直偏波分波器１０ａについて説明する。尚，水平・垂直偏波分波器１０ｂも全く同じ金型で成形されており詳細な説明は省く。この水平・垂直偏波分波器１０ａは，上記ホーン２ａと同一中心軸線上に配置された，上記電波の受入口を一端に備えた円形導波管１１ａと，当該円形導波管１１ａに対して，夫々コンバーター接続用で且つ夫々断面形状が長方形の，水平偏波信号用の分岐導波管１２ａと垂直偏波信号用の分岐導波管１３ａとが，相互に同方向を向いて並ぶ状態で上記円形導波管１１ａの軸線１１１ａと直交する方向に上記円形導波管１１ａと一体的に成形してある。本発明ではアルミ材を用いて金型成形している。
【００１４】
１５ａは水平偏波受信用のコンバーター，１７ａは垂直偏波受信用のコンバーターであり，上記分岐導波管１２ａ，１３ａの方向，言い換えれば水平偏波信号の出力と，垂直偏波の出力に対応させて取付けられている。１６ａ，１８ａは出力端子であり，本発明ではＦ型コネクターを用いている。
【００１５】
更に詳しく説明する。ホーン２ａ，２ｂは本発明においては，軸線の間隔が３８ｍｍとなるように配置されている。この間隔は，衛星軌道上に４°間隔で配置された２つの衛星を受信するために必要であり，パラボラアンテナ反射鏡の開口径と，Ｆ／Ｄ比（焦点距離／アンテナ開口径）に基づいて最適化されるものであり，本発明においてはアンテナ開口径が７５ｃｍの場合について説明してある。
【００１６】
上記ホーン２ａ，２ｂの端部には，図５に示すように当該各ホーンと一体的に導波管部４が形成されており，各ホーンに対して夫々円形導波管４ａ，４ｂが連通されている。これらの円形導波管４ａ，４ｂの端部にはフランジ部６が形成されており，当該フランジ部には上記円形導波管４ａ，４ｂの周縁に配置されたネジ穴９，９…が，次段機器である水平・垂直偏波分波器１０ａのフランジ２０ａに形成された取付透孔２３ａ，２３ａ…に相対抗する位置に形成されていると共に，防水パッキング（図示されていない）を取り付け可能とする取付溝８ａ，８ｂが形成されている。本発明においては上記各ホーン２ａ，２ａの軸線と，上記各円形導波管４ａ，４ｂの軸線は同一線上にあり平行配置されている。
【００１７】
上記フランジ６には水平・垂直偏波分波器１０ａ，１０ｂが取付けられる。水平・垂直偏波分波器１０ａについて説明すれば，当該水平・垂直偏波分波器１０ａのフランジ２０ａに設けられ，取付透孔２３ａを有した取付部２２ａ（本発明の実施例においては３ヶ所）と，当該透孔２３ａに相対抗して設けられた，一次放射器の導波管４ａの周縁に設けられたネジ穴９，９，９とでもって，ネジ２１，２１，２１で上記一次放射器７の導波管４ａと水平・垂直偏波分波器１０ａは連接される。この水平・垂直偏波分波器１０ａは上記各ホーン２ａと同一中心軸線１１１ａ上に配置された，上記電波の受入口を一端に備えた円形導波管１１ａと，当該円形導波管１１ａに対して，夫々コンバーター接続用で且つ夫々断面形状が長方形の，水平偏波信号用の分岐導波管１２ａと垂直偏波信号用の分岐導波管１３ａとが，相互に同方向を向いて並ぶ状態で上記円形導波管１１ａの軸線１１１ａと直交する方向に上記円形導波管１１ａと一体的に成形してある。
【００１８】
分岐導波管１２ａ，１３ａは上述のように断面形状が長方形，即ち，一般に矩形導波管と称される構造となっている。本発明の実施例においては，分岐導波管１２ａはその長手方向を，上記軸線１１１ａの方向と平行にしてあり，水平偏波信号を出力する。また，分岐導波管１３ａはその長手方向を，上記軸線１１１ａと直交する方向にしてあり，垂直偏波信号を出力する。
夫々の分岐導波管１２ａ，１３ａの出力端部には，これらの出力端部を取り囲むように連続して形成された，コンバーター取付孔（図示されていない）を備えさせたフランジ１４ａが形成されている。
【００１９】
上記フランジ１４ａには，分岐導波管１２ａに対向する位置に，水平偏波信号を周波数変換するコンバーター１５ａが取付ネジ２５，２５，…でもって接続される。分岐導波管１３ａに対向する位置に，垂直偏波信号を周波数変換するコンバーター１７ａが取付ネジ２５，２５，…でもって接続される。
水平・垂直偏波分波器１０ｂについても同様な構成となっているため，説明は省略する。
【００２０】
ここで，上記水平・垂直偏波分波器１０ａ，１０ｂと一次放射器の取付部について図４を基に詳細に説明する。
ここでも水平・垂直偏波分波器１０ａについて説明する。この水平・垂直偏波分波器１０ａの円形導波管１１ａの一端に備えた受入口の周縁には，透孔２３ａを備えた取付部２２ａが３ヶ所形成されており，その第１の取付部の配置は，上記円形導波管１１ａの軸線１１１ａを中心として，更には，上記受入口方向から見て，上記取付部２２ａに備えた透孔２３ａの中心と，上記水平・垂直偏波分波器１０ａにおける水平偏波信号用及び垂直偏波信号用の分岐導波管１２ａ，１３ａの軸線１８ａ，１９ａとのなす角度が，円形導波管１１ａの上方から右回りに分岐導波管方向１２ａ，１３ａ方向に略１３°傾いた位置にあり，第２，第３の取付部は，上記第１の取付部に対して，上記円形導波管の周方向に略１２０°毎になるように配置され，水平・垂直偏波分波器１０ａとフランジ６とは連結されている。
【００２１】
上記水平・垂直偏波分波器１０ａは，図３に詳しく示すように，上記一次放射器７に対して傾かせて取付けられている。この取付角度は，上記水平・垂直偏波分波器１０ａの分岐導波管１２ａ，１３ａの軸線１８ａ，１９ａ（図においては１８ａは見えない）と，円形導波管１１ａの軸線１１１ａと１１ｂの軸線１１１ｂとの中心，即ち上記一次放射器７の中心軸から，円形導波管１１ａと１１ｂの配列方向に対して直交する方向線１００とのなす角度が，図のように右回りに２．６°となるように配置され，水平・垂直偏波分波器１０ｂは，図のように左回りに２．６°となるように配置されており，上記方向線１００を挟んで，水平・垂直偏波分波器１０ａと１０ｂとは相互に５，２度傾斜して取付けられている。この傾きは，上述のように衛星軌道上に４°間隔で配置された２つの衛星から送られてくる電波の相対的な偏波面の傾きに合わせるために必要なものである。
【００２２】
この本発明においては，上述のように衛星軌道上に４°間隔で配置された２つの衛星から送られてくる電波を，７５ｃｍのアンテナで受信する例を示しているのであるが，これらの電波を効率よく受信するためには，ホーンの配置や偏波面調整が最適化される必要がある。本発明ではホーン２ａ，２ｂの配置寸法は，各ホーンの中心間が３８ｍｍである。更には，これらのホーン２ａ，２ｂに連通させて導波管４ａ，４ｂが同一軸線上に平行になるように形成されている。このように形成された一次放射器７には，水平・垂直偏波分波器１０ａ，１０ｂが，方向線１００を挟んで相互に５．２°傾かせて取付ける必要がある。つまりはこの狭い間隔において，一次放射器のフランジ６と，水平・垂直偏波分波器１０ａのフランジ２０ａ，１０ｂのフランジ２０ｂとの接続を効率よく，しかも防水性能を維持して実現する必要が生じる。更に加えて，ドライバー等の一般的な工具でもって取付可能にすることも必用である。
【００２３】
本発明の実施例に示す水平・垂直偏波分波器１０ａの分岐出力１２ａ，１３ａと水平・垂直偏波分波器１０ｂの分岐出力１２ｂ，１３ｂは，各分波器の軸線に対して直交するように形成されている。また，コスト削減，在庫管理等を考慮して，水平・垂直偏波分波器１０ａ，１０ｂ全く同じ金型から成形したものでもって構成させてある。従って本発明のように，ホーンの間隔が３８ｍｍにおいて，水平・垂直偏波分波器１０ａ，１０ｂを取付けるのに取付部２２ａ，２３ａの配置が，上記各分岐導波管によって隠れることなく，加えて相互に干渉しない位置であって，ドライバー等の一般的な工具で，防水性や耐久性等の性能を劣化させずに取付けられる条件を満足させるには，図３に示す如く配置する必要がある。
【００２４】
即ち，水平・垂直偏波分波器１０ａ，１０ｂの取付部２２ａ，２３ａは夫々３ヶ所であって，その第１の取付部（図３の円形導波管の上部に位置する）は，上記円形導波管１１ａ，１１ｂの軸線を中心として，更には，上記受入口方向から見て，上記取付部２２ａ，２２ｂに備えた透孔２３ａ，２３ｂの中心と，上記水平・垂直偏波分波器における水平偏波信号用及び垂直偏波信号用の分岐導波管の軸線とのなす角度が，円形導波管の上方から右回りに分岐導波管方向に略１３°傾いた位置にあり，第２，第３の取付部は，上記第１の取付部に対して，上記円形導波管の周方向に略１２０°毎になるように配置させてある。これによって，取付部が相互にぶつかることなく，また，分岐出力に隠れることなく取り付けができるのである。
【００２５】
このように構成されたアンテナ給電部１の使用例について図６を用いて説明する。本発明の実施例において，２つの衛星はＪＣＳＡＴ−４Ａ（スカイ，東経１２４°）とＪＣＳＡＴ−３（パーフェクＴＶ，東経１２８°）である。ホーン２ａではＪＣＳＡＴ−３からの１２．２５〜１２．７５ＧＨｚ帯の電波を受信する。
本発明のアンテナ給電部１は，パラボラアンテナのアームの先端に設けた支持体（図示はされていない）と上記アンテナ給電部１の嵌合溝５とを回動可能に嵌合されているので，受信する場所ごとにパラボラアンテナに対するアンテナ給電部１の偏波角の調整を行うように構成されている。更には，支持体と一次放射器には，目盛りと指針を表示させて偏波角の設定量が容易に分かるようにしてある。
【００２６】
ホーン２ａによって受信された信号は水平・垂直偏波分波器１０ａによって，垂直偏波信号と，水平偏波信号とに分波される。垂直偏波信号は局部発振周波数が１１．２ＧＨｚの周波数変換部を備えたコンバーター部１７ａによって１０４８〜１５３３ＭＨｚのパーフェクＴＶの垂直信号（以下，パーフェクＴＶ  Ｖ信号）に変換されて出力される。水平偏波信号は局部発振周波数が１０．６７８ＧＨｚの周波数変換部を備えたコンバーター１５ａによって１５９０〜２０７０ＭＨｚのパーフェクＴＶの垂直信号（以下，パーフェクＴＶ  Ｈ信号）に変換されて出力される。
【００２７】
同様に，ホーン２ｂではＪＣＳＡＴ−４Ａからの１２．２５〜１２．７５ＧＨｚ帯の電波を受信する。ホーン２ｂによって受信された信号は水平・垂直偏波分波器１０ｂによって，垂直偏波信号と，水平偏波信号とに分波される。垂直偏波信号は局部発振周波数が１１．２ＧＨｚの周波数変換部を備えたコンバーター部１７ｂによって１０５３〜１５３３ＭＨｚのスカイの垂直信号（以下，スカイ  Ｖ信号）に変換されて出力される。水平偏波信号は局部発振周波数が１０．６７８ＧＨｚの周波数変換部を備えたコンバーター１５ｂによって１５９０〜２０７０ＭＨｚのスカイの垂直信号（以下，スカイ  Ｈ信号）に変換されて出力される。
【００２８】
このように出力された，ＣＳ−ＩＦ信号は相互に重なっているため，アンテナからの出力を一本のケーブル５６で宅内に引き込むために周波数帯の配列をし直す。本発明の実施例では，スカイのＩＦ出力をブロックコンバーター５２によって周波数変換する。例えば，スカイ  Ｖ信号は局部発振周波数１０６９ＭＨｚの周波数変換部によって２１２２〜２６０２ＭＨｚの第２のスカイ  Ｖ信号に変換される。また，スカイ  Ｈ信号は局部発振周波数１０６９ＭＨｚの周波数変換部によって５２１〜１００１ＭＨｚの第２のスカイ  Ｈ信号に変換される。そのときの周波数配列は図７の（Ａ）に示す。
【００２９】
これらの信号を混合器５３によって混合すれば，上記アンテナによって受信された信号は，スカイ  Ｈ信号，パーフェクＴＶ  Ｖ信号，パーフェクＴＶ  Ｈ信号，スカイ  Ｖ信号と配列されて引き込み線５６一本で宅内に引き込むことができる。この時，スカイは放送の信号が出ているＩＦ帯域（Ｖ，Ｈ共に高域の２５０ＭＨｚ帯域）だけを混合するようにフィルターが設けられており，そのときの周波数配列は図７の（Ｂ）に示す。
この引き込まれた信号の内スカイの信号は，宅内に設けられたブロックコンバーター５８によって再度もとのＣＳ−ＩＦ帯に周波数変換された後，必用に応じて分配器等によって分配されてから，夫々チューナー６１に入力される。そのときの周波数配列は図７の（Ｃ）に示す。
図６において，５１はアンテナ，５３はスカイ  Ｈ信号，パーフェクＴＶ  Ｖ信号，パーフェクＴＶ  Ｈ信号，スカイ  Ｖ信号を混合する混合器，５４は混合された信号を適宜増幅するＣＳ−ＩＦ帯の増幅器である。増幅された信号は，分岐器５５，分配器５６でもって必要数に応じて分配される。宅内に引き込まれた信号はブロックダウンコンバーター５８に入力される。その後，分配器によって必用に応じて分配されてから，テレビ端子６０から出力される。６２はテレビである。
６５，６６はＶＨＦ，ＵＨＦアンテナであり，混合器６７で混合された後，ＶＵ増幅器６８で適宜増幅される。増幅された信号は分岐器６９，分配器７０で必要数分配されてから宅内に引き込まれる。その後分配器７１で分配されてから，テレビ端子を介して出力されている。
尚，本発明は上記実施の形態に限定されるものではなく，本発明の趣旨を逸脱しない範囲で各部の構造や配置を適宜に変更して実施することも可能である。
【００３０】
【発明の効果】
以上詳述したように，請求項１の発明によれば，２つの人工衛星から送信され，同一のパラボラ反射鏡にて反射・収束された電波を夫々受け入れる一対のホーンと，当該各ホーンに連通し，端部に次段機器接続用のフランジを備えた導波管とを一体的に形成した一次放射器と，当該一次放射器の各導波管には，水平・垂直偏波分波器を介してコンバーターを備えたアンテナ給電部において，上記ホーンと導波管とは夫々同一軸線上に形成されると共に，当該軸線が平行となるように左右に近接して対称的に配置され，当該アンテナ給電部における水平・垂直偏波分波器と導波管の連結部と，ホーンの先端部に至る一次放射器の任意部位であって，上記ホーンの夫々の軸線に平行で且つ当該軸線間の中心を通る一次放射器の軸線から一定距離の周方向に，一次放射器と一体的に形成された嵌合溝を一部または全周に備えさせ，上記水平・垂直偏波分波器は，上記各ホーンと同一中心軸線上に配置された，上記電波の受入口を一端に備えた円形導波管と，当該円形導波管に対して，夫々コンバーター接続用で且つ夫々断面形状が長方形の，水平偏波信号用の分岐導波管と垂直偏波信号用の分岐導波管とが，相互に同方向を向いて並ぶ状態で上記円形導波管の軸線と直交する方向に連結してあり，一方の水平・垂直偏波分波器における水平偏波信号用及び垂直偏波信号用の分岐導波管の軸線と，他方の水平・垂直偏波分波器における水平偏波信号用及び垂直偏波信号用の分岐導波管の軸線が，上記ホーン間の中心点から，ホーンの配列方向に対して直交する方向線に対して，左右に夫々任意の角度をもつように配置されるように構成したので，一次放射器は簡単な金型構成によって成形できるので，成形の容易性や，コストの削減が可能であるといった点において優位性があると共に，示談以降に接続する機器がホーンと同一軸線上に連接することによって，アンテナ給電部の外形寸法が小型化できるといった優位性も合わせて持つ。更に２つの衛星からの信号を受信するために近接させて配置させた一対のホーンと導波管を備えたこの一次放射器に対して，同じ金型から作成した水平・垂直偏波分波器を左右に取付けると共に，衛星の配列状態によって生じる相対的な偏波面の傾きを補正するために，水平・垂直偏波分波器を夫々傾斜させて取付けしても，取付部が分岐導波管によって隠れることなく，相互に取付部が干渉せずに，加えて一般的な工具であるドライバー等を用いて簡単且つ確実に一次放射器に接続することができ，金型作成費の削減，組立ての容易性等を有したアンテナ給電部が提供できるのである。
【００３１】
請求項２乃至請求項４の発明によれば，到来する電波の偏波角を最適にする一次放射器の調整を確実に且つ簡単に行うことができる。更に取付部と目盛りと指針を表示し，偏波角の設定量を表示させたのでたので，更に偏波買うの調整が片手でも容易に行える。
【００３２】
請求項５の発明によれば，上記水平・垂直偏波分波器は上記コンバーターと一体的に形成したので構成が簡単なアンテナ給電部を提供することができる。
【００３３】
請求項６の発明によれば，上記各ホーンの軸線の間隔は略３８ｍｍであり，
一方の水平・垂直偏波分波器における水平偏波信号用及び垂直偏波信号用の分岐導波管の軸線と，他方の水平・垂直偏波分波器における水平偏波信号用及び垂直偏波信号用の分岐導波管の軸線が，上記ホーン間の中心点から，ホーンの配列方向に対して直交する方向線に対して，左右に夫々略２．６°の角度をもつように配置されるように構成したので，２つの人工衛星から送信され，同一のパラボラ反射鏡にて反射・収束された電波を夫々受け入れるためのアンテナ給電部であって，上記衛星の配列位置が４°離れている衛星からの
電波を７５ｃｍのパラボラアンテナ反射鏡で持って受信する場合において最適なアンテナ給電部を提供できる。
【００３４】
請求項７の発明によれば，上記水平・垂直偏波分波器の円形導波管の一端に備えた受入口の周縁には，透孔を備えた取付部が３つ形成されており，その第１の取付部の配置は，上記円形導波管の軸線を中心として，更には，上記受入口方向から見て，上記取付部に備えた透孔の中心と，上記水平・垂直偏波分波器における水平偏波信号用及び垂直偏波信号用の分岐導波管の軸線とのなす角度が，円形導波管の上方から右回りに分岐導波管方向に略１３°傾いた位置にあり，第２，第３の取付部は，上記第１の取付部に対して，上記円形導波管の周方向に略１２０°毎になるように配置され，水平・垂直偏波分波器と導波管とは，上記連結部において連結するように構成したので，全く同じ金型から成形した水平・垂直偏波分波器を２つ，近接したホーンと導波管を持つ上記一次放射器に接続する場合において，当該水平・垂直偏波分波器のフランジに備えさせた取付部が，分岐導波管によって隠れたり，互いに取付部がぶつからないように配置すると共に，一般的に手に入る工具，例えばドライバー等で持って容易に且つ確実に取付が可能であるアンテナ給電部を提供できる。
【図面の簡単な説明】
【図１】本発明のアンテナ給電部の上面図を示す。
【図２】本発明のアンテナ給電部の側面図を示す。
【図３】本発明のアンテナ給電部を後方から見た図面である。
【図４】図２のＡ−Ａ線（水平・垂直偏波分波器のフランジ面）における断面図である。
【図５】図２のＢ−Ｂ線（一次放射器のフランジ面）における断面図である）
【図６】本願のアンテナ給電部を用いたアンテナを用いた受信システムの実施例を示す。
【図７】本発明の受信システムにおける各部の周波数配列を示す。
【符号の説明】
１…アンテナ給電部，２ａ，２ｂ…ホーン，３…キャップ，４…導波管部，４ａ，４ｂ…円形導波管，５…嵌合溝，６…フランジ部，７…一次放射器，８ａ，８ｂ…取付溝，９…ネジ穴，１０ａ，１０ｂ…水平・垂直偏波分波器，１１ａ，１１ｂ…円形導波管，１２ａ，１２ｂ…水平偏波信号用の分岐導波管，１３ａ，１３ｂ…垂直偏波信号用の分岐導波管，１４ａ，１４ｂ…フランジ，１５ａ，１５ｂ…水平偏波信号用のコンバーター，１６ａ，１６ｂ，１８ａ，１８ｂ…出力端子，１７ａ，１７ｂ…垂直偏波信号用のコンバーター，１８ａ，１８ｂ…水平偏波信号用の分岐導波管の軸線，１９ａ，１９ｂ…垂直偏波信号用の分岐導波管の軸線，２０ａ，２０ｂ…フランジ，２１…ネジ，２２ａ，２２ｂ…取付部，２３ａ，２３ｂ…透孔，２５…取付ネジ，
１００…方向線，１１１ａ，１１１ｂ…軸線，５１…アンテナ，５２…ブロックコンバーター，５３…混合器，５４…ＣＳ−ＩＦ帯の増幅器，５５…分岐器，５６…分配器，５７…引き込み線，５８…ブロックコンバーター，６０…テレビ端子，６１…チューナー，６２…テレビ，６５…ＶＨＦアンテナ，６６…ＵＨＦアンテナ，６７…混合器，６８…ＶＵ増幅器，６９…分岐器，７０…分配器，７１…分配器。
【図１】
2004343161.tif 000003
【図２】
2004343161.tif 000004
【図３】
2004343161.tif 000005
【図４】
2004343161.tif 000006
【図５】
2004343161.tif 000007
【図６】
2004343161.tif 000008
【図７】
2004343161.tif 000009